(57)【要約】      （修正有）【課題】液レベルコントローラの液レベルに対する誤判を減少することが可能であり、自動排水装置が正常状態だけで開けられ、製造プロセスをスムーズに行うことが可能な液レベルコントローラ付き自動排水装置を提供する。【解決手段】水槽を有する水タンク２０と、水タンク２０に固定されており、水タンク２０に固定されている固定部と、固定部に連接されており水槽に位置する検知部と、を備え、検知部は、固定部に連接されている第１検知段と、第１検知段に連接されている第２検知段３２２とに分けられる少なくとも一つの液レベル検知端子３０と、液レベル検知端子３０の第１検知段を覆っている少なくとも一つの隔離層４０と、液レベル検知端子３０と電気的に接続している制御ユニット５０と、を含む。【選択図】図３
2015099036.tif 000002
【特許請求の範囲】
【請求項１】
水槽を有する水タンクと、
前記水タンクに固定されており、前記水タンクに固定されている固定部と、前記固定部に連接されており前記水槽に位置する検知部と、を備え、前記検知部は、前記固定部に連接されている第１検知段と、前記第１検知段に連接されている第２検知段とに分けられる少なくとも一つの液レベル検知端子と、
前記液レベル検知端子の前記第１検知段を覆っている少なくとも一つの隔離層と、
前記液レベル検知端子と電気的に接続している制御ユニットと、を含むことを特徴とする、
液レベルコントローラ付き自動排水装置。
【請求項２】
前記水タンクは、水タンク本体と、前記水タンク本体にロックされている上蓋と、から構成され、前記水タンク本体は、前記水槽と、前記水槽と連通する排水口と、を有し、前記排水口に排水弁が組み付けられており、前記上蓋は前記水槽と連通する入水口を有することを特徴とする、請求項１に記載の液レベルコントローラ付き自動排水装置。
【請求項３】
前記水タンクの前記上蓋には、前記液レベル検知端子の前記固定部が固定されており、前記液レベル検知端子は前記水タンクの内部に鉛直に設けられていることを特徴とする、請求項２に記載の液レベルコントローラ付き自動排水装置。
【請求項４】
前記水タンクの前記水タンク本体には、前記液レベル検知端子の前記固定部が固定されており、前記液レベル検知端子は前記水タンクの内部に水平に設けられていることを特徴とする、請求項２に記載の液レベルコントローラ付き自動排水装置。
【請求項５】
前記液レベル検知端子の一端面は前記第２検知段であることを特徴とする、請求項１又は請求項２に記載の液レベルコントローラ付き自動排水装置。
【請求項６】
前記液レベル検知端子は二つあり、前記各液レベル検知端子の前記第２検知段は同一の水平面に位置せず、前記隔離層は、二つあり、前記液レベル検知端子の前記第１検知段をそれぞれ覆っていることを特徴とする、請求項１に記載の液レベルコントローラ付き自動排水装置。
【請求項７】
前記隔離層は、前記液レベル検知端子の前記固定部を覆っていることを特徴とする、請求項１に記載の液レベルコントローラ付き自動排水装置。
【請求項８】
前記隔離層は防水材質を採用することを特徴とする、請求項１に記載の液レベルコントローラ付き自動排水装置。
【発明の詳細な説明】
【技術分野】
【０００１】
本発明は、自動排水装置に関し、特に、液レベルコントローラ付き自動排水装置に関するものである。
【背景技術】
【０００２】
多くの工業製造プロセスにおいて、水は不可欠なものであるため、多くの工業製造機器に自動排水装置が設けられており、これにより、工業製造プロセスをスムーズに行うことが可能である。前記自動排水装置は、大量の水を貯蔵可能な水タンクと、前記水タンク内の液レベルを制御する液レベルコントローラと、を含む。このように、工業製造プロセスにおいて、水を充分に供給することが可能である。
【０００３】
図１Ａ及び図１Ｂを参照する。図１Ａは従来の自動排水装置を示す断面図であり、図１Ｂは従来の別の自動排水装置を示す断面図である。
従来の自動排水装置は、水タンク１１と、液レベルコントローラ１２と、を含む。水タンク１１は、上蓋１１１と、水タンク本体１１２と、から構成される。上蓋１１１は入水口１１１ａを有し、水が入水口１１１ａを経由して水タンク本体１１２の内部に進入する。水タンク本体１１２は、水を貯蔵する水槽１１２ａを有する。水槽１１２ａは排水口１１２ｂを有する。排水口１１２ｂに排水弁１３が組み付けられている。液レベルコントローラ１２は、水タンク１１の内部に設けられている一つ（複数でもよく）の液レベル検知端子１２１と、水タンク１１に設けられており、液レベル検知端子１２１と電気的に接続している制御ユニット１２２と、を含む。
このように、液レベルの制御及び排水又は入水を行うことが可能である。図１Ａと図１Ｂに示したものの相違する点は、図１Ａにおける液レベル検知端子１２１が鉛直に設けられる一方、図１Ｂにおける液レベル検知端子１２１が水平に設けられることにある。
【０００４】
しかし、従来の自動排水装置には次のような欠点がある。すなわち、液レベル検知端子１２１の外面がカバーされていない状態であるため、液レベル検知端子１２１の何れかの部分が水と接触すると、制御信号が制御ユニット１２２に転送される。このため、外部の水が入水口１１１ａから水タンク１１の内部に進入する過程中に、入水の圧力が高すぎると、水が噴出して液レベル検知端子１２１と接触して、液レベルの高さが誤判され、これにより、自動排水装置が正常でない状態で開けられて、製造プロセスをスムーズに行うことができない。
一方、外部の水が入水口１１１ａから水タンク１１の内部に進入した後、水タンク１１の内部の空間にある水分子の濃度が高すぎると、水分子が液レベル検知端子１２１と接触しやすく、液レベルの高さが誤判される。
【発明の概要】
【発明が解決しようとする課題】
【０００５】
本発明の主な目的は、液レベルコントローラの液レベルに対する誤判を減少することが可能であり、自動排水装置が正常状態にだけ開けられ、製造プロセスをスムーズに行うことが可能な液レベルコントローラ付き自動排水装置を提供することにある。  
【課題を解決するための手段】
【０００６】
本発明の液レベルコントローラ付き自動排水装置は、水槽を有する水タンクと、水タンクに固定されており、水タンクに固定されている固定部と、固定部に連接されており水槽に位置する検知部と、を備え、検知部は、固定部に連接されている第１検知段と、第１検知段に連接されている第２検知段とに分けられる少なくとも一つの液レベル検知端子と、液レベル検知端子の第１検知段を覆っている少なくとも一つの隔離層と、液レベル検知端子と電気的に接続している制御ユニットと、を含むことを特徴とする。
【０００７】
本発明の液レベルコントローラ付き自動排水装置は、水タンクは、水タンク本体と、水タンク本体にロックされている上蓋と、から構成され、水タンク本体は、水槽と、水槽と連通する排水口と、を有し、排水口に排水弁が組み付けられており、上蓋は水槽と連通する入水口を有することを特徴とする。
【０００８】
本発明の液レベルコントローラ付き自動排水装置は、水タンクの上蓋には、液レベル検知端子の固定部が固定されており、液レベル検知端子は水タンクの内部に鉛直に設けられていることを特徴とする。
【０００９】
本発明の液レベルコントローラ付き自動排水装置は、水タンクの水タンク本体には、液レベル検知端子の固定部が固定されており、液レベル検知端子は水タンクの内部に水平に設けられていることを特徴とする。
【００１０】
本発明の液レベルコントローラ付き自動排水装置は、液レベル検知端子の一端面は第２検知段であることを特徴とする。
【００１１】
本発明の液レベルコントローラ付き自動排水装置は、液レベル検知端子は二つあり、各液レベル検知端子の第２検知段は同一の水平面に位置せず、隔離層は、二つあり、液レベル検知端子の第１検知段をそれぞれ覆っていることを特徴とする。
【００１２】
本発明の液レベルコントローラ付き自動排水装置は、隔離層は、液レベル検知端子の固定部を覆っていることを特徴とする。
【００１３】
本発明の液レベルコントローラ付き自動排水装置は、隔離層は防水材質を採用することを特徴とする。
【発明の効果】
【００１４】
本発明の液レベルコントローラ付き自動排水装置は、液レベルコントローラの液レベルに対する誤判を減少することが可能であり、自動排水装置が正常状態にだけ開けられ、製造プロセスをスムーズに行うことが可能であるという効果を有する。
【図面の簡単な説明】
【００１５】
【図１Ａ】従来の自動排水装置を示す断面図である。
【図１Ｂ】従来の別の自動排水装置を示す断面図である。
【図２】本発明の実施例１を示す断面図である。
【図３】本発明の実施例２を示す断面図である。
【図４】本発明の実施例３を示す断面図である。
【図５】本発明の実施例４を示す断面図である。
【図６】本発明の実施例５を示す断面図である。
【図７】本発明の実施例６を示す断面図である。
【図８】本発明の実施例７を示す断面図である。
【図９】本発明の実施例８を示す断面図である。
【発明を実施するための形態】
【００１６】
以下、本発明の実施の形態を図面に基づいて説明する。
【実施例１】
【００１７】
図２を参照する。図２は本発明の実施例１を示す断面図である。本実施例の液レベルコントローラ付き自動排水装置は、水タンク２０と、液レベル検知端子３０と、隔離層４０と、制御ユニット５０と、から構成される。
【００１８】
水タンク２０は水槽２１１を有する。水タンク２０は、水タンク本体２１と、水タンク本体２１にロックされている上蓋２２と、から構成される。本実施例の水タンク２０は密封式のボックスであるが、本発明はこれらに限定されない。もちろん、水タンク２０は開放式のボックスでもよい。
水タンク本体２１は、水槽２１１と、水槽２１１と連通する排水口２１２と、を有する。排水口２１２に排水弁６０が組み付けられている。上蓋２２は水槽２１１と連通する入水口２２１を有する。外部の水は、入水口２２１を経由して水タンク本体２１の内部に進入する。
【００１９】
液レベル検知端子３０は、水タンク２０に固定されており、水タンク２０に固定されている固定部３１と、固定部３１に連接されており水槽２１１に位置する検知部３２と、を含む。
検知部３２は、固定部３１に連接されている第１検知段３２１と、第１検知段３２１に連接されている第２検知段３２２とに分けられる。水タンク２０の上蓋２２には、液レベル検知端子３０の固定部３１が固定されている。液レベル検知端子３０は水タンク２０の内部に鉛直に設けられている。
【００２０】
隔離層４０は、防水材質を採用し、液レベル検知端子３０の第１検知段３２１を覆っており、液レベル検知端子３０の第２検知段３２２だけが外部と接触する。隔離層４０は、更に、液レベル検知端子３０の固定部３１を覆っている。
【００２１】
制御ユニット５０は液レベル検知端子３０と電気的に接続している。液レベル検知端子３０により、水タンク２０の内部の液レベルを検知することが可能であり、これにより、入水又は排水を適当に行うことが可能である。制御ユニット５０の内部の回路設計とその制御方式は、周知な技術であり、本発明の特徴ではないため、説明を省略した。
【００２２】
次に、本実施例の効果を説明する。液レベル検知端子３０の固定部３１と検知部３２の第１検知段３２１とには、隔離層４０に覆われており、液レベル検知端子３０の第２検知段３２２だけを露呈して液レベルの高さを検知する。このため、液レベル検知端子３０の第２検知段３２２により、水タンク２０の内部の液レベルを検知することが可能であり、入水又は排水を適当に行うことが可能である。
【００２３】
一方、液レベル検知端子３０により水タンク２０の内部の水量が不足であることを検知して、制御ユニット５０の制御により、外部の水が水タンク２０の入水口２２１から水タンク２０の内部に進入するときには、隔離層４０により、水の液レベル検知端子３０の大分の面積との接触を隔離することが可能であり、水タンク２０の内部に入水しているときに、露呈している液レベル検知端子に水が接触して、液レベルを誤判することを回避することが可能である。
このように、液レベルコントローラの液レベルに対する誤判を減少することが可能であり、自動排水装置が正常状態だけで開けられ、製造プロセスをスムーズに行うことが可能である。そして水タンク２０の内部に入水しているときに、水タンク１１の内部の空間にある水分子の濃度が高すぎて、水分子が液レベル検知端子３０と接触して、液レベルの高さを誤判することを回避することが可能である。
【実施例２】
【００２４】
図３を参照する。図３は本発明の実施例２を示す断面図である。本実施例の液レベルコントローラ付き自動排水装置は、水タンク２０と、液レベル検知端子３０と、隔離層４０と、制御ユニット５０と、から構成される。
【００２５】
本実施例は、構成及び効果が実施例１と同じであるが、実施例１と相違する点は、液レベル検知端子３０の一端面は第２検知段３２２であり、すなわち、第２検知段３２２が液レベル検知端子３０の下端面に設けられており、隔離層４０が液レベル検知端子３０の全面を覆っており、下端面（すなわち、第２検知段３２２）だけが露呈して、液レベルの高さを検知することが可能であることにある。
これによって、水タンク２０の内部に入水しているときに、水が液レベル検知端子３０と接触し、又は水タンク１１の内部の空間にある水分子の濃度が高すぎて、水分子が液レベル検知端子３０と接触して、液レベルの高さを誤判することを回避するという効果が更に良くなり、自動排水装置が正常状態にだけ開けられ、製造プロセスをスムーズに行うことが可能である。
【実施例３】
【００２６】
図４を参照する。図４は本発明の実施例３を示す断面図である。本実施例の液レベルコントローラ付き自動排水装置は、水タンク２０と、液レベル検知端子３０と、隔離層４０と、制御ユニット５０と、から構成される。
【００２７】
本実施例は、構成及び効果が実施例１と同じであるが、実施例１と相違する点は、液レベル検知端子３０は二つあり、各液レベル検知端子３０の第２検知段３２２が同一の水平面に位置せず、隔離層４０は、二つあり、液レベル検知端子３０の第１検知段３２１をそれぞれ覆っていることにある。
これによって、水タンク２０の内部に入水しているときに、水が液レベル検知端子３０と接触し、又は水タンク１１の内部の空間にある水分子の濃度が高すぎて、水分子により各液レベル検知端子３０が導通となって、液レベルの高さを誤判することを回避するという効果が更に良くなる。
【実施例４】
【００２８】
図５を参照する。図５は本発明の実施例４を示す断面図である。本実施例の液レベルコントローラ付き自動排水装置は、水タンク２０と、液レベル検知端子３０と、隔離層４０と、制御ユニット５０と、から構成される。
【００２９】
本実施例は、構成及び効果が実施例３と同じであるが、実施例３と相違する点は、各液レベル検知端子３０の一端面は第２検知段３２２であり、すなわち、第２検知段３２２が液レベル検知端子３０の下端面に設けられており、隔離層４０が液レベル検知端子３０の全面を覆っており、下端面（すなわち、第２検知段３２２）だけが露呈して、液レベルの高さを検知することが可能であることにある。
これによって、水タンク２０の内部に入水しているときに、水タンク１１の内部の空間にある水分子の濃度が高すぎて、水分子により各液レベル検知端子３０が導通となって、液レベルの高さを誤判することを回避するという効果が更に良くなる。
【実施例５】
【００３０】
図６を参照する。図６は本発明の実施例５を示す断面図である。本実施例の液レベルコントローラ付き自動排水装置は、水タンク２０と、液レベル検知端子３０と、隔離層４０と、制御ユニット５０と、から構成される。
【００３１】
本実施例は、構成及び効果が実施例１と同じであるが、実施例１と相違する点は、水タンク２０の水タンク本体２１には、液レベル検知端子３０の固定部３１が固定されており、液レベル検知端子３０は水タンク２０の内部に水平に設けられていることにある。
【実施例６】
【００３２】
図７を参照する。図７は本発明の実施例６を示す断面図である。本実施例の液レベルコントローラ付き自動排水装置は、水タンク２０と、液レベル検知端子３０と、隔離層４０と、制御ユニット５０と、から構成される。
【００３３】
本実施例は、構成及び効果が実施例５と同じであるが、実施例５と相違する点は、液レベル検知端子３０の一端面は第２検知段３２２であり、すなわち、第２検知段３２２が液レベル検知端子３０の側端面に設けられており、隔離層４０が液レベル検知端子３０の全面を覆っており、側端面（すなわち、第２検知段３２２）だけが露呈して、液レベルの高さを検知することが可能であることにある。
【実施例７】
【００３４】
図８を参照する。図８は本発明の実施例７を示す断面図である。本実施例の液レベルコントローラ付き自動排水装置は、水タンク２０と、液レベル検知端子３０と、隔離層４０と、制御ユニット５０と、から構成される。
【００３５】
本実施例は、構成及び効果が実施例５と同じであるが、実施例５と相違する点は、液レベル検知端子３０は二つあり、各液レベル検知端子３０の第２検知段３２２が同一の水平面に位置せず、隔離層４０は、二つあり、液レベル検知端子３０の第１検知段３２１をそれぞれ覆っていることにある。
これによって、水タンク２０の内部に入水しているときに、水が液レベル検知端子３０と接触し、又は水タンク１１の内部の空間にある水分子の濃度が高すぎて、水分子により各液レベル検知端子３０が導通となって、液レベルの高さを誤判することを回避するという効果が更に良くなる。
【実施例８】
【００３６】
図９を参照する。図９は本発明の実施例８を示す断面図である。本実施例の液レベルコントローラ付き自動排水装置は、水タンク２０と、液レベル検知端子３０と、隔離層４０と、制御ユニット５０と、から構成される。
【００３７】
本実施例は、構成及び効果が実施例７と同じであるが、実施例７と相違する点は、液レベル検知端子３０の一端面は第２検知段３２２であり、すなわち、第２検知段３２２が液レベル検知端子３０の側端面に設けられており、隔離層４０が液レベル検知端子３０の全面を覆っており、側端面（すなわち、第２検知段３２２）だけが露呈して、液レベルの高さを検知することが可能であることにある。
【００３８】
本発明は、自動排水装置に適用することができる。
【符号の説明】
【００３９】
１１      水タンク
１２      液レベルコントローラ
１３      排水弁
２０      水タンク
２１      水タンク本体
２２      上蓋
３０      液レベル検知端子
３１      固定部
３２      検知部
４０      隔離層
５０      制御ユニット
６０      排水弁
１１１    上蓋
１１１ａ  入水口
１１２    水タンク本体
１１２ａ  水槽
１１２ｂ  排水口
１２１    液レベル検知端子
１２２    制御ユニット
２１１    水槽
２１２    排水口
２２１    入水口
３２１    第１検知段
３２２    第２検知段
【図１Ａ】
2015099036.tif 000003
【図１Ｂ】
2015099036.tif 000004
【図２】
2015099036.tif 000005
【図３】
2015099036.tif 000006
【図４】
2015099036.tif 000007
【図５】
2015099036.tif 000008
【図６】
2015099036.tif 000009
【図７】
2015099036.tif 000010
【図８】
2015099036.tif 000011
【図９】
2015099036.tif 000012